(57)【要約】【課題】筆記具保管時にインクを収容するインクタンク内の圧力が高くなったとしても、キャップ開放時にインクタンク内を減圧にすることができ、使用時にペン先からのインクの漏れ出しを防止したボールペン、マーキングペンなどに好適な筆記具を提供する。【解決手段】筆記具本体１０内にインク２５を充填したインクタンク１１を備えた筆記具Ａであって、筆記具本体１０前部には、ペン先２０と、該ペン先２０をシールするキャップ体３０とを装着すると共に、キャップ体３０には、該キャップ体の開放に伴いインクタンク１１内を減圧する減圧機構４０を備えたことを特徴とする筆記具。【選択図】図１
2014108602.tif 000002
【特許請求の範囲】
【請求項１】
筆記具本体内にインクを充填したインクタンクを備えた筆記具であって、筆記具本体前部には、ペン先と、該ペン先をシールするキャップ体とを装着すると共に、キャップ体には、該キャップ体の開放に伴いインクタンク内を減圧する減圧機構を備えたことを特徴とする筆記具。
【請求項２】
インクタンクには、インクの直流を抑制する抑制機構を備えたことを特徴とする請求項１に記載の筆記具。
【請求項３】
インクの後部にはフォロワが充填された状態で、フォロワの後部とインクタンク内部の後端部との空間部には、液体を含浸させることにより毛管力を付与した毛管多孔体を配置したインクの直流を抑制する抑制機構を備えたことを特徴とする請求項２に記載の筆記具。
【発明の詳細な説明】
【技術分野】
【０００１】
本発明は、筆記具保管時にインクを収容するインクタンク内の圧力が高くなったとしても、キャップ開放時にインクタンク内を減圧にすることができ、使用時にペン先からのインクの漏れ出しを防止したボールペン、マーキングペンなどに好適な筆記具に関する。
【背景技術】
【０００２】
一般的に、ディスプレイ性に優れ、インク残量が分かりやすい、インク容器などの筆記具本体にインクと該インクの後端部に充填したフォロワ（追従体）という形態となる筆記具は、インクの直流を防ぐために、ボールペンチップや微小に可動するバルブ方式を付与している構造となるものが数多く採用されている。
【０００３】
前者のようなボールペンチップを用いてインクの直流を防いでいる筆記具は、落下等によりチップが破壊されたことを想定して、チップが破壊した時でも直流しにくようにインクを設計している場合が多く、インク設計の幅が狭いものである。
また、後者で採用するバルブ方式の筆記具では、筆記時にガタがあるため、書き味が悪く、バルブを開いている時間によって、インク流量が変わってしまうため、文字書きと直線書きでの描線濃度に差が出やすいという問題があった。
【０００４】
このような問題の解決を試みようとした筆記具として、例えば、
１）  バルブ式の筆記具において、ポンピング感等の違和感を生じることなくスムーズな開弁操作を可能して、かつ、閉弁のためのスプリング力が十分でインキの漏れやボタオチを確実に防止できる筆記具を提供するために、ペン芯が一定のストロ−ク以上後退動作しかつ特定の抵抗荷重以上の押圧力が加わったときに開弁してインク収容部内のインクをペン芯に向けて流通させる弁機構を有するバルブ式の筆記具であって、バルブが開弁するまでのストロークの間、ペン芯の後退動作に応じてペン芯の押圧に対する抵抗荷重を増加させていく弾性部材からなるダミーポンピング部を軸筒先端部に設けた構造の筆記具（例えば、特許文献１参照）、
２）  内部に液体を収容し、該液体を吐出する吐出手段と接続され、吐出手段を通じて内容液体が消費されるに伴って消費された内容液体の体積に見合う空気を内部に取り込む空気流通手段を設けた液体吐出具の液体貯蔵容器において、前記空気流通手段として、常温で固体のオルガノポリシロキサンからなる空気交換壁を配置すると共に、前記容器の内外の連通に要する最小距離が１．０μｍ以上０．２ｍｍ以下であることを特徴とする液体吐出具の液体貯蔵容器（例えば、特許文献２参照）、
【０００５】
３）  自由状態でインキを収容するインキタンク内と連通する、インキ消費に伴うインキタンク内のインキの体積変化に応じてインキタンク内圧を維持すべく外気を取り込むための空気流通路を形成してなる筆記具において、前記空気流通路に、接触する壁部材との接触角θが０＜θ≦９０°で、且つ表面張力αが１０ｄｙｎ／ｃｍ≦α≦７３ｄｙｎ／ｃｍ（２０℃）である粘性流体による粘性流体層を配置し、前記インキの体積変化に係るインキタンク内圧の減少に伴って一時的に前記粘性流体層に空気流通孔を形成することを特徴とした筆記具（例えば、特許文献３参照）、
４）  インキを流動的に直接収容し且つ後端を開口させた内筒と、この内筒との間に空気交換手段を介して外部と流通する所要の断面積の空間が確保されるように該内筒を同軸遊嵌状に内設し且つ後端を閉鎖させた外筒と、この外筒と前記内筒との前端開口に備えるペン先とを有し、内筒内空間のインキの界面から連ねた状態で該内筒内空間の後端開口を介して連絡する外筒内の前記空間の後部側に、ペン先に掛かるインキの流動圧を一定圧に制御するバランス液体を流動的に収容してなる事を特徴とする筆記具（例えば、特許文献４参照）、
５）  インキ収容室に生インキ状態で収容したインキをペン先に供給するようにした筆記具であって、インキ収容室がインキの消費につれて容積減少するように、インキ収容室を形成する壁部に可動壁部を設けたものにおいて、前記可動壁部を前記インキ収容室との区画壁部に有するとともに弾性壁部と毛細管力による液膜形成壁部とを外界との区画壁部に有する空気室を設けたことを特徴とする筆記具（例えば、特許文献５参照）、などが知られている。
【０００６】
これらの特許文献１〜５に記載の各筆記具は、従来の構造のものよりは改良されて、その性能は向上しているが、未だインク直流現象・逆流現象に対して不十分であり、特に、筆記具保管時に筆記具本体となるインクタンク内の圧力が高くなった場合に、使用時（キャップ体を筆記具本体から取り外した際）に、ペン先からのインクの漏れ出し（インクのドバ落ち）に対しては不十分なものであった。
【先行技術文献】
【特許文献】
【０００７】
【特許文献１】特開２００８−２６５２０３号公報（特許請求の範囲、図面等）
【特許文献２】特開２００１−９６９６９号公報（特許請求の範囲、図面等）
【特許文献３】特開２００１−１０２８０号公報（特許請求の範囲、図面等）
【特許文献４】特開平１１−９９７９０号公報（特許請求の範囲、図面等）
【特許文献５】特開平７−１９５８９１号公報（特許請求の範囲、図面等）
【発明の概要】
【発明が解決しようとする課題】
【０００８】
本発明は、上記従来技術の課題に鑑み、これを解消しようとするものであり、筆記具保管時に筆記具本体となるインクタンク内の圧力が高くなったとしても、キャップ開放時にインクタンク内を減圧にすることができ、使用時にペン先からのインクの漏れ出しを防止した筆記具を提供することを目的とする。
【課題を解決するための手段】
【０００９】
本発明者らは、上記従来の課題等を解決するために、鋭意検討した結果、筆記具本体内にインクを充填したインクタンクを備えた筆記具であって、筆記具本体前部には、ペン先と、該ペン先をシールするキャップ体とを装着すると共に、キャップ体には、該キャップ体の開放に伴いインクタンク内を減圧する機構を備えることなどにより、上記目的の筆記具が得られることを見出し、本発明を完成するに至ったのである。
【００１０】
すなわち、本発明は、次の（１）〜（３）に存する。
（１）  筆記具本体内にインクを充填したインクタンクを備えた筆記具であって、筆記具本体前部には、ペン先と、該ペン先をシールするキャップ体とを装着すると共に、キャップ体には、該キャップ体の開放に伴いインクタンク内を減圧する減圧機構を備えたことを特徴とする筆記具。
（２）  インクタンクには、インクの直流を抑制する抑制機構を備えたことを特徴とする上記（１）に記載の筆記具。
（３）  インクの後部にはフォロワが充填された状態で、フォロワの後部とインクタンク内部の後端部との空間部には、液体を含浸させることにより毛管力を付与した毛管多孔体を配置したインクの直流を抑制する抑制機構を備えたことを特徴とする上記（２）に記載の筆記具。
【発明の効果】
【００１１】
請求項１の発明によれば、筆記具保管時に筆記具本体内の圧力が高くなったとしても、キャップ開放時にインクタンク内を減圧にすることができ、使用時にペン先からのインクの漏れ出しを防止したボールペン、マーキングペンなどに好適な筆記具が提供される。
請求項２の発明によれば、更に、ペン先に掛かるインクの流動圧を一定圧に制御して、インク直流現象・逆流現象を防止することができる筆記具が提供される。
【図面の簡単な説明】
【００１２】
【図１】（ａ）及び（ｂ）は、本発明の実施形態の一例を示す筆記具であり、キャップ体を取り付けた状態と、キャップ体を取り外した状態とを示す各縦断面図である。
【図２】（ａ）〜（ｃ）は、図１の筆記具において、キャップ体に備えた減圧機構を説明するための説明図であって、そのキャップ体を筆記具本体に取り付ける過程を順次説明するための部分拡大縦断面図である。
【図３】（ａ）〜（ｃ）は、図１の筆記具において、キャップ体に備えた減圧機構を説明するための説明図であって、そのキャップ体を筆記具本体から取り外す過程を順次説明するための部分拡大縦断面図である。
【図４】（ａ）及び（ｂ）は、本発明の実施形態の他例を示す筆記具であり、キャップ体を取り付けた状態と、キャップ体を取り外した状態とを示す縦断面図である。
【図５】（ａ）〜（ｃ）は、図４の筆記具において、キャップ体に備えた減圧機構を説明するための説明図であって、そのキャップ体を筆記具本体に取り付ける過程を順次説明するための部分拡大縦断面図である。
【図６】（ａ）〜（ｃ）は、図４の筆記具において、キャップ体に備えた減圧機構を説明するための説明図であって、そのキャップ体を筆記具本体から取り外す過程を順次説明するための部分拡大縦断面図である。
【図７】（ａ）〜（ｃ）は、本発明の実施形態の他例を示す筆記具であり、キャップ体を取り付けた状態、キャップ体を取り外す途中の状態、キャップ体を取り外した状態を示す各縦断面図である。
【図８】（ａ）〜（ｃ）は、本発明の実施形態の他例を示す筆記具であり、キャップ体を取り付けた状態、キャップ体を取り外す途中の状態、キャップ体を取り外した状態を示す各縦断面図である。
【図９】（ａ）〜（ｃ）は、本発明の実施形態の他例を示す筆記具であり、キャップ体を取り付けた状態、キャップ体を取り外す途中の状態、キャップ体を取り外した状態を示す各縦断面図である。
【図１０】（ａ）〜（ｃ）は、本発明の実施形態の他例を示す筆記具であり、キャップ体を取り付けた状態、キャップ体を取り外す途中の状態、キャップ体を取り外した状態を示す各縦断面図である。
【図１１】（ａ）〜（ｃ）は、本発明の実施形態の他例を示す筆記具であり、キャップ体を取り付けた状態、キャップ体を取り外す途中の状態、キャップ体を取り外した状態を示す各縦断面図である。
【図１２】（ａ）〜（ｃ）は、本発明の実施形態の他例を示す筆記具であり、キャップ体を取り付けた状態、キャップ体を取り外す途中の状態、キャップ体を取り外した状態を示す各縦断面図である。
【発明を実施するための形態】
【００１３】
以下に、本発明の実施形態を図面を参照して詳しく説明する。
図１〜図３は、本発明の実施形態の一例（第１実施形態）を示す筆記具の各図面である。
本実施形態の筆記具Ａは、図１（ａ）及び（ｂ）に示すように、軸部となる該筆記具本体１０の前部には、ペン先２０と、該ペン先２０をシールするキャップ体３０とを装着すると共に、筆記具本体１０内に備えたリフィールからなるインクタンク１１に充填したインク２５を有し、上記キャップ体３０には該キャップ体３０の開放に伴いインクタンク１１内を減圧する減圧機構４０を備えると共に、インクタンク１１の後部にはインクの直流を抑制する抑制機構５０を備えたものである。
【００１４】
筆記具本体１０は、軸部となるものであり、樹脂や、金属などを用いて構成することができ、本実施形態では、筆記具本体１０は、アクリロニトリルスチレン（ＡＳ）を使用して成形されている。
この筆記具本体１０内には、インク２５を収容するリフィール１１が収容されている。
リフィール１１としては、収容するインクに含有される原材料の経時的な悪影響を受けないものが好ましく、例えば、ポリプロピレン（ＰＰ）、ポリエチレンナフタレート（ＰＥＮ）、ポリエチレンテレフタレート（ＰＥＴ）、ポリエチレン（ＰＥ）などの樹脂や、アルミニウム等の金属などの視認性、または、非視認性の材料を用いて構成することができる。本実施形態では、インクタンクとなるリフィール１１は、ポリプロピレン（ＰＰ）を使用して円筒状に成形されている。
【００１５】
ペン先２０は、各種のプラスチック材の軸方向にインキ溝を形成したプラスチック芯から構成される筆記部となるペン芯から構成されている。
このペン芯２０は、図１及び図２に示すように、リフィール１１の先端開口部１１ａ内に取り付けられた筒状の継手部材１５で固着される構造となっている。継手部材１５は、リフィール１１の先端開口部１１ａに嵌合等により固着される筒状の固着部１５ａと、フランジ部１５ｂと、ペン芯２０の筒状保持部を嵌合により固着する固着部１５ｃとから構成され、インクタンクとなるリフィール１１に充填したインク２５は上記筆記部となるペン芯２０へ供給される構造となっている。
【００１６】
ペン芯２０を先端に継手部材１５により取り付けたリフィール１１は、継手部材１５の固着部１５ｃとフランジ部１５ｂを、先端に形成した先細となる先軸部１０ａ、筆記具本体１０の内部に形成した段部１０ｂに取り付けることによりリフィール１１が筆記具本体１０内に収容され、ペン芯２０は筆記具本体１０の先軸部１０ａより突出した形態となっている。また、筆記具本体１０のキャップ体３０が装着される外周面には、キャップ体３０を気密に保持するためにＯリング１２が取り付けられている。
【００１７】
インクタンクとなるリフィール１１に収容するインク２５としては、水性インク、油性インク、ゲルインクなど特に限定されるものでない。用いるインク組成としては、その用途（水性インク、油性インク、ゲルインク等）、筆記具種（マーキングペン、ボールペン等）に応じて顔料（樹脂顔料含む）、染料などの着色剤、主溶剤、樹脂、増粘剤及び筆記具用のインクに含有される任意成分などを用いることができる。
任意成分としては、例えば、インクに悪影響を及ぼさず相溶することができる防錆剤、防黴剤、界面活性剤、潤滑剤及び湿潤剤等を含有することができる。ボールペン用のインクでは、脂肪酸などは潤滑剤として好適に使用できる。また、乾燥抑制用添加剤として製品特性上、悪影響を及ぼさない範囲で主溶剤に相溶する不揮発性溶剤等も含有することができる。
本実施形態では、インク２５は、水性サインペン用インクにより構成されている。
【００１８】
リフィール１１に充填したインク２５の後部には、図１に示すように、筆記時にインクの消費に伴って追従するフォロワ（追従体）２６が設けられ、その後方側は空気室となる空間部２７となっている。
フォロワ（追従体）２６としては、インクに使用する溶剤に対して低透過性、低拡散性となるものが好ましく、そのベースとしては不揮発性や難揮発性の流動体、具体的には、ポリブテンや流動パラフィン、鉱油、プロセスオイルなどを使用することができる。
これらの物質の粘度が低い場合には、増粘剤やゲル化剤を用いることが好ましい。具体的には、金属セッケン類、ベントナイト類、脂肪酸アマイド類、水添ヒマシ油類、酸化チタンやシリカやアルミナ等を含む金属微粒子類、セルロース類、エラストマー類等が挙げられる。本実施形態では、フォロワ（追従体）２６は鉱油と増粘剤により構成されている。
【００１９】
本実施形態のキャップ体３０は、ペン芯２０をシールすると共に、該キャップ体の開放に伴いインクタンク１１内を減圧する減圧機構４０を備えたものである。
このキャップ体３０は、筆記具本体（軸部）１０の先軸側の外周面に着脱自在に装着される取付部となる筒状の外キャップ部３１と、該外キャップ部３１内に軸方向に摺動自在で、かつ、ペン芯２０側へスプリング部材からなる弾性部材３２で附勢された有底形状となる内キャップ部３３とを有している。該内キャップ部３３には、その内部にペン先２０の突出部分全体をシールするニトリルゴム（ＮＢＲ）、ブチルゴム（ＩＩＲ）等のゴム、熱可塑性エラストマー、軟質樹脂などで構成されたシール部材３４が設けられ、外周面に弾性部材３２の一端を当接保持する通気孔３３ａを有する環状の保持部３３ｂを有すると共に、ペン先側の反対方向に延設される筒状部３５とを有している。また、この内キャップ部３３は、外キャップ部３１の内周面に設けられた通気孔３１ａを有する環状の保持部３１ｂに保持される構造となっている。
【００２０】
このキャップ体３０に備えた減圧機構４０は、可撓性の減圧部材４１を外キャップ部３１内に有するものである。この減圧部材４１は、環状の本体部４２と、中央部に、通常の状態では封止し、設定された圧力以上になった際に開く薄肉状の開放片４３とを一体に有している。
この減圧部材４１は、可撓性（弾性）を有する材料から構成することができ、例えば、
ニトリルゴム（ＮＢＲ）、エチレンプロピレンジエンゴム（ＥＰＤＭ）、ブチルゴム（ＩＩＲ）、シリコーンゴム、熱可塑性エラストマー（ＴＰＥ）、フィルム等で構成することができる。本実施形態では、ブチルゴム（ＩＩＲ）から構成されている。
【００２１】
また、この減圧部材４１は、その本体部４２の外周側を外キャップ部３１の内周面に設けた取り付け面部３１ｃに取り付けられると共に、外キャップ３１の開口部３１ｄに嵌合等により固着される通気孔を有する蓋体４５により外キャップ３１内に固着される。
上記内キャップ部３３をペン芯２０側へ附勢させる弾性部材３２は、その両端が、前記内キャップ部３３の環状の保持部３１ｂと上記減圧部材４１の環状の本体部４２とで保持され、内キャップ部３３と外キャップ部３１との間で、かつ、外キャップ部３１と内キャップ部３３との間に介装されるものとなる。
【００２２】
上記蓋体４５は、筒状の固着部４６と、有底状の蓋体４７とを有し、該固着部４６と蓋体４７とは外気（大気）側に連通する通気孔４８ａを有する連結部４８とで一体構成となっている。
上記キャップ体３０を筆記具本体１０の前端側に装着することにより、継手部材１５で保持したペン芯２０の先端全体が内キャップ部３３のシール部材３４によりシールされて、インクタンク１１の内圧変化の際に、ペン先２０からの直流現象を防止するものとなる。本実施形態のシール部材３４は、ブチルゴム（ＩＩＲ）から構成されている。本実施形態では、上記シールの状態は、図２（ｃ）に示すように、内キャップ部３３が弾性部材３２の附勢力に抗して内キャップ部３３は後方に下がりながら先端側は継手部材１５の固着部１５ｃに嵌合して、内キャップ部３３内は密閉空間となり、ペン芯２０の先端全体がシール部材３４によりシールされるものである。
【００２３】
上記インクタンク１１のインク２５の直流を抑制する抑制機構５０は、インクの直流を抑制する抑制部材５１を備えている。この抑制部材５１としては、例えば、天然繊維、獣毛繊維、ポリアセタール系樹脂、ポリエチレン系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる平行繊維束、フェルト等の繊維束を加工又はこれらの繊維束を樹脂加工した繊維芯、または、各種プラスチック粉末などを焼結したポーラス体（焼結体）などから構成することができ、本実施形態では、アクリル繊維からなる繊維束芯から構成されている。この抑制部材５１により、インクが排出されると空気を取り込む為、筆記は可能であり、筆記を止めた場合は、インクタンク内の減圧状態を保持することが可能となり、インクの直流を防止するものとなる。
【００２４】
また、筆記具本体１０の後端側の開口部１０ｃには、筆記具本体１０を封止する尾栓６０が取り付けられている。この尾栓６０、上記キャップ体３０の装着などにより、インクタンク１１を収容した筆記具本体１０は密封される状態となるが、キャップ体３０の第１空間部３６ａ、第２空間部３６ｂはインクタンク１１と連通する状態となっている。すなわち、インクタンク１１の空間部２７から、抑制部材５１、インクタンク１１の後方側の空間部１３、筆記具本体１０とインクタンク１１との隙間１４、筆記具本体１０と継手部材１５との隙間１６、キャップ体３０の第１空間部３６ａ、キャップ体３０の外キャップ部３１の連通孔３１ａを介して、キャップ体３０の第２空間部３６ｂへと連通する状態となっている。このキャップ体３０の空間部３６ｂは、減圧部材４１、キャップの蓋体４５の通気孔４８ａを介して外気（大気）と連通する。
【００２５】
このように構成される本第１実施形態の筆記具Ａでは、キャップ体３０の取り付け時は、図２（ａ）〜（ｃ）に示すように、キャップ体３０でシールしながら、キャップ体３０の第１空間部３６ａ、第２空間部３６ｂは体積収縮する。具体的には、キャップ体３０の取り付けの際は、始めに、図２（ａ）に示すように、キャップ体３０の外キャップ部３１を筆記具本体１０の先端側の装着を始めると、筆記具本体１０の先端側を包囲した後、次に、図２（ｂ）及び（ｃ）に示すように、外キャップ部３１がＯリング１２により摺動シールしながら、キャップ体３０の内キャップ部３３の先端側が継手部材１５の固着部１５ｃに嵌合して、内キャップ部３３内を密閉し、ペン芯２０の先端全体をシール部材３４によりシールするものであり、この取り付けと同時に、キャップ体３０の第１空間部３６ａ、第２空間部３６ｂは体積収縮するが、キャップ体３０に備えた減圧機構４０における減圧部材４１の開放片４３により、加圧分を開放する（設定された圧力以上になると逃がす）構造となるものである。一方、キャップ体３０の開放時（取り外し時）は、図３（ａ）〜（ｃ）に示すように、キャップ体３０のシールを維持しながら、キャップ体３０を開放するようにすることで、第１空間部３６ａ、第２空間部３６ｂは体積膨張する。具体的には、キャップ体３０の開放時は、始めに、図３（ａ）及び（ｂ）に示すように、キャップ体３０の外キャップ部３１を筆記具本体１０の先端側から取り外し始めると、キャップ体３０の第１空間部３６ａ、第２空間部３６ｂは体積膨張するが、第１空間部３６ａ、第２空間部３６ｂはインクタンク１１の空間部２７に連通しているため、間接的に当該空間部を減圧することができる。また、筆記具保管時に筆記具本体１０のインクタンク１１内の圧力が高くなったとしても、減圧部材４０により圧力は開放され、僅かに残った加圧分はキャップ体３０の開放時にインクタンク１１内をキャップ体３０に備えた減圧機構４０により、強制的に減圧にすることができる。そのため、使用時にペン先２０からのインクの漏れ出しを防止した筆記具が得られるものとなる。
また、通常の筆記の際や、筆記を終了の際には、リフィール１１の後端部に設けたインクの直流を抑制する上述の抑制機構における抑制部材５１のサイクルにより、ペン先に掛かるインクの流動圧を一定圧に制御して、インク直流現象・逆流現象を防止したものとなる。すなわち、リフィール１１の後端部に抑制部材５１を備えているので、筆記の際はインク排出により、空間部２７が減圧状態となり、減圧が抑制部材５１の設定力以上になると、抑制部材５１より空気が侵入して、通常通り、筆記が可能となる。一方、筆記を終えると、抑制部材５１は初期の復元し、インクの自重を支えることができる。
更に、本第１実施形態の筆記具Ａでは、キャップ体３０の装着時には、ペン芯２０の突出部分全体がシール部材３４によりシールされているので、インクタンクの加温等の内圧変化の際にも、ペン先２０からの直流現象を防止するものとなる。
【００２６】
次に、図４〜図１２は、本発明の筆記具の他例（第２実施形態〜第８実施形態）を示すものである。なお、図４〜図１２において、上記第１実施形態（図１〜図３）と同様の構造は、同一の図示符号を示して、その説明を省略する。
【００２７】
図４〜図６は、本発明の第２実施形態を示す筆記具であり、上記第１実施形態の図１〜図３に沿う各図面である。
この第２実施形態となる筆記具Ｂは、上記第１実施形態の筆記具Ａにおいて、キャップ体３０に設けた減圧機構４０の減圧部材４１を抑制機構５０の抑制部材５１と同様の材料を使用して構成した減圧部材４４である。本実施形態では、アクリル繊維からなる繊維束芯から構成されている点、この減圧部材４４をキャップ体３０の開口部に取り付ける筒状の取付体４９で取り付けた点で、上記第１実施形態の筆記具Ａと相違するものである。
本第２実施形態の筆記具Ｂでは、上記第１実施形態の筆記具Ａと同様に、キャップ体３０の取り付け時は、図５（ａ）〜（ｃ）に示すように、キャップ体３０でシールしながら、キャップ体３０の第１空間部３６ａ、第２空間部３６ｂは体積収縮するが、キャップ体３０に備えた減圧機構４０における減圧部材４４により、加圧分を開放する（設定された圧力以上になると逃がす）構造となるものである。一方、キャップ体３０の開放時（取り外し時）は、図６（ａ）〜（ｃ）に示すように、キャップ体３０のシールを維持しながら、キャップ体３０を開放するようにすることで、第１空間部３６ａ、第２空間部３６ｂは体積膨張するが、第１空間部３６ａ、第２空間部３６ｂはインクタンク１１の空間部２７に連通しているため、間接的に当該空間部を減圧することができる。また、筆記具保管時に筆記具本体１０のインクタンク１１内の圧力が高くなったとしても、減圧部材４０により圧力は開放され、僅かに残った加圧分はキャップ体３０の開放時にインクタンク１１内をキャップ体３０に備えた減圧部材４４により、強制的に減圧にすることができる。そのため、使用時にペン先２０からのインクの漏れ出しを防止した筆記具が得られるものとなる。また、上記第１実施形態の筆記具Ａと同様に、当該筆記具Ｂにおいても、ペン先に掛かるインクの流動圧を一定圧に制御して、インク直流現象・逆流現象を防止することができる。
【００２８】
図７（ａ）〜（ｃ）は、本発明の第３実施形態を示す筆記具である。
この第３実施形態となる筆記具Ｃは、上記第１実施形態の筆記具Ａにおいて、インクタンク１１の後方側に備えた抑制機構５０の抑制部材５１を毛管力が付与された多孔体５２から構成した点で、上記第１実施形態の筆記具Ａと相違するものである。
毛管力が付与された多孔体５２としては、例えば、繊維束、焼結体、フェルト等の繊維束を加工又はこれらの繊維束を樹脂加工した繊維芯、または、各種プラスチック粉末などを焼結したポーラス体（焼結体）などから選択される多孔体に、鉱油、プロセスオイル、シリコンオイル、イオン性液体などの液体を含浸させたものなどを挙げることができる。本実施形態では、繊維束芯とプロセスオイルとの組み合わせから構成したものである。
この毛管力が付与された多孔体５２は、インクタンク１１の開口部に取り付けられた取付体５５の貫通孔５６に保持されて、上記第１実施形態の筆記具Ａの抑制部材５１と同様に機能を有するものである。
本実施形態の筆記具Ｃによれば、上記各実施形態の筆記具Ａ、Ｂと同様に作用するものであり、筆記具保管時に筆記具本体内の圧力が高くなったとしても、キャップ開放時にインクタンク内を減圧にすることができ、使用時にペン先からのインクの漏れ出しを防止でき、しかも、ペン先に掛かるインクの流動圧を一定圧に制御して、インク直流現象・逆流現象を防止することができる。
【００２９】
図８（ａ）〜（ｃ）は、本発明の第４実施形態を示す筆記具である。
この第４実施形態となる筆記具Ｄは、上記第２実施形態の筆記具Ｂにおいて、キャップ体３０に設けた減圧機構４０の減圧部材４１を抑制機構５０の抑制部材５１と同様の材料を使用して構成した減圧部材４４であり、本実施形態では、アクリル繊維からなる繊維束芯から構成されている点で、上記第１実施形態の筆記具Ｂと相違するものであり、上記各実施形態の筆記具Ａ、Ｂ、Ｃと同様に機能するものである。
【００３０】
図９（ａ）〜（ｃ）は、本発明の第５実施形態を示す筆記具である。
この第５実施形態となる筆記具Ｅは、上記第３実施形態の筆記具Ｃにおいて、ペン先を各種のプラスチック材の軸方向にインキ溝を形成したプラスチック芯２０に代えて、繊維束を加工又はこれらの繊維束を樹脂加工した繊維芯、または、各種のプラスチック粉末などを焼結した焼結芯（ポーラス体）などから構成される筆記部となるペン芯、本実施形態ではポリエチレンテレフタレート（ＰＥＴ）繊維から構成されるペン芯とした点で、上記第３実施形態の筆記具Ｃと相違するものであり、上記各実施形態の筆記具Ａ、Ｂ、Ｃ及びＤと同様に機能するものである。
【００３１】
図１０（ａ）〜（ｃ）は、本発明の第６実施形態を示す筆記具である。
この第６実施形態となる筆記具Ｆは、上記第５実施形態の筆記具Ｅにおいて、キャップ体３０に設けた減圧機構４０の減圧部材４１を抑制機構５０の抑制部材５１と同様の材料を使用して構成した減圧部材４４であり、本実施形態では、アクリル繊維からなる繊維束芯から構成されている点で、上記第５実施形態の筆記具Ｅと相違するものであり、上記各実施形態の筆記具Ａ、Ｂ、Ｃ、Ｄ及びＥと同様に機能するものである。
【００３２】
図１１（ａ）〜（ｃ）、並びに、図１２（ａ）〜（ｃ）は、本発明の第７実施形態、第８実施形態を示す筆記具である。
この第７実施形態となる筆記具Ｇは、上記第５実施形態の筆記具Ｅにおいて、リフィール１１から繊維芯等からなるペン芯２０へのインク２５の供給機構をバルブ体７０により行う点、筆記時にインクの消費に伴って追従するフォロワ（追従体）２６を省略した点で、上記実施形態の筆記具Ｅと相違するものである。
また、第８実施形態となる筆記具Ｈは、上記第７実施形態の筆記具Ｇにおいて、キャップ体３０に設けた減圧機構４０の減圧部材４１を抑制機構５０の抑制部材５１と同様の材料を使用して構成した減圧部材４４であり、本実施形態では、ブチルゴム（ＩＩＲ）から構成されている点で、上記第７実施形態の筆記具Ｇと相違するものである。
上記各実施形態におけるバルブ体７０は、上記ペン芯２０の後端部に当接し、該ペン芯の後退に連動して後退可能な弁棒７１と、該弁棒７１を上記ペン芯２０の方向に付勢するスプリング部材７２と、これらの弁棒７１、スプリング部材７２を収容する本体部７３と、リフィール１１からペン芯２０へのインク流路を閉鎖・開放する弁座体７４とを備え、上記ペン芯２０を押圧することにより弁棒７１が後退して弁棒７１に形成した弁体７１ａが弁座体７４の弁座７４ａから離れ、リフィール１１内のインク２５をペン芯２０に供給せしめるものである。また、図示符号７５は、ペン芯２０の後端側に設けたスポンジ等の発泡材で構成されるインクの一時貯留部である。
本第７及び第８実施形態の筆記具Ｇ、Ｈによれば、上記各実施形態の筆記具Ａ、Ｂ、Ｃ、Ｄ、Ｅ及びＦと同様に機能するものである。
【００３３】
本発明は、上記実施形態に限定されるものでなく、本発明の要旨を変更しない範囲で種々の形態に変更することができる。
【実施例】
【００３４】
次に、実施例により、本発明を更に詳述するが、本発明は下記実施例に限定されるものではない。
【００３５】
〔実施例１：図１〜図３準拠〕
（筆記具本体、リフィール、継手部材の各構成）
筆記具本体：ＡＳ製、肉厚（厚さ）１．０ｍｍ、長さ  １２０ｍｍ、直径φ１０ｍｍ
リフィール（インクタンク）：ＰＰ製、肉厚（厚さ）０．８ｍｍ、長さ  １００ｍｍ、直径φ５．６ｍｍ
筆記部ペン芯：ＰＥＴ製繊維束芯、気孔率６０％、長さ５ｍｍ、直径φ２．０ｍｍ
（尾栓の構成）
部材（尾栓）：ＰＰ製
（減圧部材４１の構成）
減圧部材：ＩＩＲ製、外径φ６．０ｍｍ
（抑制部材５１の構成）
抑制部材：アクリル製、気孔率７０％、長さ５ｍｍ、直径φ２．０ｍｍ
（尾栓の構成）
ＰＰ製：直径φ１０ｍｍ
（キャップ体の構成）
本体：ＰＰ製、シール部材：ＩＩＲ製
【００３６】
（インク２５、フォロア２６の組成）
インクとして、下記組成の蛍光桃インクを使用した。
色材  ：ＶＣトナー桃（御国色素社製）              ３０質量部
湿潤剤：グリセリン                                ２５質量部
防腐剤：バイオエース（ケイアイ化成社製）        ０．７質量部
イオン交換水                                  ４４．３質量部
フォロアとして、下記組成の配合で加熱攪拌を１時間行い、フォロアを得た。
鉱油（ＰＷ−９０：出光興産社製）                   ９５質量部
増粘剤（ＴＰＯ５：日本プラス工業社製）               ５質量部
【００３７】
このように構成される実施例１の筆記具を用いて、筆記の際は、通常通り、筆記が可能となり、また、筆記を終えても、インクの直流もなく、ペン先に掛かるインクの流動圧が一定圧に制御でき、インク直流現象・逆流現象を防止した筆記具が得られることが判った。
また、キャップ体を開放した際にも、インクタンクとなるリフィールの空間部が体積膨張するが、液体を含浸させた毛管多孔体により、加圧分を逃がす構造となっているので、キャップ体の開放時にインクタンク内を減圧にすることができ、使用時にペン先からのインクの漏れ出しがないことが確認された。
【００３８】
〔実施例２：ボールペン、図１〜図３準拠〕
（実施例１と異なる筆記具部材の構成）
下記ペン先、インク以外の構成は上記実施例１の構成と同様。
ペン先（ボールペンチップ）：ステンレス製チップ（超硬合金ボール、ボール径０．５ｍｍ
インクとして、下記組成のボールペン用インク（全量１００質量部）を使用した。
色材：カーボンブラック                              ８．０質量部
分散剤：スチレンマレイン酸樹脂アンモニウム塩        ３．０質量部
潤滑剤：カリ石鹸                                    ０．５質量部
液体媒体：プロピレングリコール                    ２０．０質量部
防腐剤：1、2−ベンズイソチアゾロン塩                ０．３質量部
ｐＨ調整剤：アミノメチルプロパノール                ０．３質量部
防錆剤：ベンゾトリアゾール                          ０．２質量部
粘度調整剤：架橋型アクリル酸重合体                  ０．４質量部
イオン交換水                                            残  部
このように構成される実施例２のボールペンタイプの筆記具を用いて、筆記の際は、通常通り、筆記が可能となり、また、筆記を終えても、インクの直流もなく、ペン先に掛かるインクの流動圧が一定圧に制御でき、インク直流現象・逆流現象を防止したマーキングペンが得られることが分かった。また、上記実施例１と同様に、キャップ体の開放時にインクタンク内を減圧にすることができ、使用時にペン先からのインクの漏れ出しがないことが確認された。
【産業上の利用可能性】
【００３９】
本発明の筆記具では、ボールペンや、アンダーラインペン、油性マーカー、水性マーカーなどのマーキングペンに好適に使用することができる。
【符号の説明】
【００４０】
Ａ  筆記具
１０  筆記具本体
１１  リフィール（インクタンク）
１５  継手部材
２０  ペン先（ペン芯）
２５  インク
２６  フォロア（追従体）
２７  空間部
３０  キャップ体
４０  減圧機構
４１  減圧部材
５０  抑制機構
６０  尾栓
【図１】
2014108602.tif 000003
【図２】
2014108602.tif 000004
【図３】
2014108602.tif 000005
【図４】
2014108602.tif 000006
【図５】
2014108602.tif 000007
【図６】
2014108602.tif 000008
【図７】
2014108602.tif 000009
【図８】
2014108602.tif 000010
【図９】
2014108602.tif 000011
【図１０】
2014108602.tif 000012
【図１１】
2014108602.tif 000013
【図１２】
2014108602.tif 000014